(57)【要約】【課題】衣料品の多数の部品をさまざまな方法で選択でき自動的にオーダーシートに出力する。【解決手段】顧客情報と採寸データとデザイン選択結果と部品選択結果とを入力するためのデータ入力画面３１を表示するウインドウ表示制御手段２２と、衣料品の部品を配列固定して、各部品を特定するためのバーコードを表示したサンプルブックと、バーコードを読み取るスキャナ１３と、データ入力手段２１の受け付けたオーダー情報を処理してオーダーシート３４を編集するオーダー情報処理手段２３と、オーダー情報に基づいて見積もり計算をする見積もり計算手段２５と、イラストウインドウに表示する部品の表示イメージデータと、イラストウインドウ中に表示する部品の表示領域を示すデータを含む参照テーブルデータ３２を参照して、イラストウインドウ３３を生成するイラスト編集手段２４とを備える。【選択図】図１
2010039653.tif 000002
【特許請求の範囲】
【請求項１】
オーダーされる衣料品に対する、顧客情報と採寸データとデザイン選択結果と部品選択結果とを入力するためのデータ入力画面を表示するウインドウ表示制御手段と、
前記衣料品の部品を配列固定して、各部品を特定するためのバーコードを表示したサンプルブックと、
前記バーコードを読み取るスキャナと、
前記ウインドウ表示制御手段および前記スキャナを通じてデータ入力を受け付けるデータ入力手段と、
前記データ入力手段により受け付けたオーダー情報を処理してオーダーシートを編集するオーダー情報処理手段と、
前記オーダー情報に基づいて見積もり計算をする見積もり計算手段と、
前記部品を識別する識別コードと、前記イラストウインドウに表示する部品の表示イメージデータと、前記イラストウインドウ中に表示する部品の表示領域を示すデータを含む参照テーブルデータを参照して、前記オーダー情報のイメージを表示するイラストウインドウを生成するイラスト編集手段とを備えたことを特徴とする衣料品フルオーダシステム。
【請求項２】
請求項１に記載の衣料品フルオーダシステムにおいて、
参照テーブルデータには、イラストウインドウ中で、関連する部品の表示イメージデータを近接して配置するように、表示領域が設定されていることを特徴とする衣料品フルオーダシステム。
【請求項３】
請求項１または２に記載の衣料品フルオーダシステムにおいて、
参照テーブルデータには、イラストウインドウ中で、関連する部品の表示イメージデータが所定の位置関係で配置されるように、表示領域が設定されていることを特徴とする衣料品フルオーダシステム。
【請求項４】
コンピュータを、請求項１に記載の手段として機能させる衣料品フルオーダシステム用プログラム。
【請求項５】
コンピュータを、請求項１に記載の手段として機能させる衣料品フルオーダシステム用プログラムを記録したコンピュータで読み取り可能な記録媒体。
【発明の詳細な説明】
【技術分野】
【０００１】
本発明は、紳士服店等で、襟、ポケット、ボタン等の多くの付属品のオーダーを一括して受け付ける場合に適する衣料品フルオーダシステムに関する。
【背景技術】
【０００２】
コンピュータにより、例えば、オンラインで様々なデザインの衣服を選択して注文するシステムが各種開発されている。コンピュータは顧客がカタログにある商品を任意に選んで発注する処理を支援する（特許文献１参照）。
【特許文献１】特開２００４−８６８０３号公報
【発明の開示】
【発明が解決しようとする課題】
【０００３】
既知の従来の技術には、次のような解決すべき課題があった。
紳士服の既製品販売店であっても、上着やパンツの色やデザインだけでなく、サイズ直し、オプションパーツの取り付け、パンツの裾上げ等の、簡単なオーダーを受け付けることが多い。こうした注文内容を確認するには、オーダーリストを印刷すればよい。しかしながら、上着の襟やポケットの形状等の全てをオーダーするようなフルオーダーシステムでは、コンピュータのディスプレイだけで、全ての付属品を選択するのは容易でない。ボタンなどは実物を手に取って選ぶ作業が伴う。こうした複雑なオーダーの結果をオーダーシートに記録する作業はきわめて煩雑になる。また、オーダーシートを目で再確認しようとしても、見落としや記入ミスを完全に防ぐのは難しい。
上記の課題を解決するために、本発明は、衣料品の多数の部品をさまざまな方法で選択でき、選択した結果をイメージで確認でき、その結果を自動的にオーダーシートに出力することを可能にする衣料品フルオーダシステムを提供することを目的とする。
【課題を解決するための手段】
【０００４】
以下の構成はそれぞれ上記の課題を解決するための手段である。
〈構成１〉
オーダーされる衣料品に対する、顧客情報と採寸データとデザイン選択結果と部品選択結果とを入力するためのデータ入力画面を表示するウインドウ表示制御手段と、上記衣料品の部品を配列固定して、各部品を特定するためのバーコードを表示したサンプルブックと、上記バーコードを読み取るスキャナと、上記ウインドウ表示制御手段および上記スキャナを通じてデータ入力を受け付けるデータ入力手段と、上記データ入力手段により受け付けたオーダー情報を処理してオーダーシートを編集するオーダー情報処理手段と、上記オーダー情報に基づいて見積もり計算をする見積もり計算手段と、上記部品を識別する識別コードと、上記イラストウインドウに表示する部品の表示イメージデータと、上記イラストウインドウ中に表示する部品の表示領域を示すデータを含む参照テーブルデータを参照して、上記オーダー情報のイメージを表示するイラストウインドウを生成するイラスト編集手段とを備えたことを特徴とする衣料品フルオーダシステム。
【０００５】
データ入力画面とサンプルブックの両方を利用してオーダー情報の入力をすることができる。また、オーダー情報のイメージを編集して、イラストウインドウに表示するので、多様なオーダーの内容をイメージで確認をすることができる。このとき、部品毎に表示領域が指定されており、見やすいレイアウトでそのイメージが表示できる。
【０００６】
〈構成２〉
構成１に記載の衣料品フルオーダシステムにおいて、参照テーブルデータには、イラストウインドウ中で、関連する部品の表示イメージデータを近接して配置するように、表示領域が設定されていることを特徴とする衣料品フルオーダシステム。
【０００７】
関連する部品を近接配置することで、部品相互のデザインや色のバランスを確認できる。
【０００８】
〈構成３〉
構成１または２に記載の衣料品フルオーダシステムにおいて、参照テーブルデータには、イラストウインドウ中で、関連する部品の表示イメージデータが所定の位置関係で配置されるように、表示領域が設定されていることを特徴とする衣料品フルオーダシステム。
【０００９】
例えば、関連する部品を隣接させたり重ね合わせて表示することができる。
【００１０】
〈構成４〉
コンピュータを、構成１に記載の手段として機能させる衣料品フルオーダシステム用プログラム。
【００１１】
〈構成５〉
コンピュータを、構成１に記載の手段として機能させる衣料品フルオーダシステム用プログラムを記録したコンピュータで読み取り可能な記録媒体。
【発明を実施するための最良の形態】
【００１２】
以下、本発明の実施の形態を実施例毎に詳細に説明する。
【実施例１】
【００１３】
図１は本発明の衣料品フルオーダシステムを示すブロック図である。
図において、このシステムは、ディスプレイ１１にマウス１２とスキャナ１３とプリンタ１４とを接続して構成される。コンピュータ１０は、演算処理装置２０と記憶装置３０を備える。コンピュータ１０は、コンピュータプログラムを実行することにより、所定のタイミングで、演算処理装置２０の部分に列挙した手段として機能する。コンピュータ１０は、このコンピュータプログラムの実行中に、記憶装置３０を使用して、予め記憶された必要なデータを読み取る。またあるいは、新たなデータを記憶装置３０に書き込んで記憶させる。
【００１４】
図１に示すように、コンピュータ１０の演算処理装置２０は、データ入力手段２１、ウインドウ表示制御手段２２、オーダー情報処理手段２３、イラスト編集手段２４及び見積もり計算手段２５として機能する。また、記憶装置３０には、プログラム制御のために、予め、データ入力画面３１と参照テーブルデータ３２が記憶されている。さらに、この記憶装置には、コンピュータプログラムの実行過程で、イラストウインドウ３３、オーダーシート３４、見積もり計算結果３５が書き込まれて記憶される。なお、マウス１２は、オーダー情報の入力等に使用される。スキャナ１３は、オーダーする部品を特定するためのバーコード読み取りに使用される。プリンタ１４は、オーダーシート３４やイラストウインドウ３３を印刷出力するために使用される。
【００１５】
次に、上記の演算処理装置２０における各手段の各機能を説明する。
ウインドウ表示制御手段２２は、データ入力画面３１を表示する機能を持つ。データ入力画面３１は、オーダーされる衣料品に対する、顧客情報と採寸データとデザイン選択結果と部品選択結果とを入力するためのものである。データ入力画面３１は図２を用いて後で説明する。データ入力手段２１は、ウインドウ表示制御手段２２およびスキャナ１３を通じてデータ入力を受け付ける機能を持つ。オーダー情報処理手段２３は、データ入力手段２１により受け付けたオーダー情報を処理してオーダーシート３４を編集する機能を持つ。
【００１６】
見積もり計算手段２５は、オーダー情報に基づいて見積もり計算をする機能を持つ。イラスト編集手段２４は、参照テーブルデータ３２を参照して、オーダー情報のイメージを表示するイラストウインドウ３３を生成する機能を持つ。参照テーブルデータ３２は、部品を識別する識別コードと、イラストウインドウに表示する部品の表示イメージデータと、イラストウインドウ中に表示する部品の表示領域を示すデータを含む。イラストウインドウ３３は図４を用いて後で説明する。オーダーシート３４と見積もり計算結果３５は図５を用いて後で説明する。参照テーブルデータ３２は図６を用いて後で説明する。以下紳士用スーツのフルオーダーシステムについて具体的な動作を説明する。
【００１７】
図２は図１で説明したコンピュータ１０のディスプレイ１１に表示されるデータ入力画面３１の説明図である。
データ入力画面３１には、顧客の要求に応じて店員がオーダー情報を入力する様々な画面が含まれている。この図の例では、顧客情報と採寸データ、ジャケット、ベスト、パンツ、イラストなどについてのオーダー情報を入力する画面が設けられている。（ａ）に示した顧客情報入力画面４０には、オーダー番号や顧客の氏名、連絡先、及び担当者などの名前を入力する項目が設けられている。図示していないが、この他に顧客に関する様々な情報が入力できる。これらのウインドウの制御は、ウインドウ表示制御手段２２が実行し、データの記憶装置への書き込みは、データ入力手段２１が実行する。
【００１８】
（ｂ）は採寸データ入力画面４２の内容を示す。ここには紳士服の仕立てに必要な様々な採寸データが入力される。（ｃ）はジャケットデータ入力画面４４の内容を示す。この画面を使用して、顧客の要求するジャケットのデザインを選択し、さらに、ジャケットに使用するボタンやその他の部品を選択する。すなわち、ジャケットデータ入力画面４４には、部品選択画面４５やデザイン選択画面４６が含まれている。なお、ジャケット、ベスト、パンツなどは紳士服の部品である。ジャケットのボタンやポケット、衿などはジャケットの部品である。以下の説明では、これらの部品を総称して単に部品と呼ぶ。
【００１９】
既存のコンピュータシステムでは、様々な部品のリストをコンピュータのディスプレイに表示し、それらの部品の中から顧客の希望する部品を選択させ、その結果をコンピュータに入力する。一方、本発明のシステムでは、現物を見て選んだ方がよいものについては顧客が現物を手にとって見て、その選択情報をそのまま自動的にコンピュータに入力する。なお、図２（ｃ）中に示すポップアップウインドウは、部品選択のつど、確認のために部品のイメージを表示するためのものである。その詳細は後で図の説明等で行う。
【００２０】
図３は、サンプルブックの具体例斜視図である。
（ａ）は布地を集合したサンプルブック６１の斜視図である。各布地にはラベルが貼り付けられておりここにはサンプル仕様６２やバーコード６３が記入されている。バーコード６３をスキャナ１３（図１）で読み取ることによってその布地を特定する識別コードがコンピュータに入力される。（ｂ）はボタンを配列したサンプルブック６５の例を示す。釦サンプル６６は縦横に規則的に配列されている。各釦サンプル６６のすぐ横にバーコード６７が表示されている。スキャナ１３でバーコード６７を読み取ることによってコンピュータに該当するボタンの識別コードが入力される。
【００２１】
（ｃ）はジャケットやベストやパンツのデザインを選択するためのサンプルブック７０の実施例である。各ページにはサンプル画像７１が記入されている。対応するバーコード７２をスキャナ１３で読み取ることによって、コンピュータに該当するデザインの識別コードが入力される。
【００２２】
以上のようにしてコンピュータに顧客のオーダーを入力していく時、入力した情報がコンピュータに正しく受け付けられたかどうかを確認したい。また、入力した部品の組み合わせが適切かどうかも確認したい。このためにオーダー情報をまとめたオーダーシート３４をプリンタ１４（図１）で印刷するとともに、オーダー情報をイメージ化したイラストウインドウ３３の内容を同時に印刷して出力する。
【００２３】
図４はイラストウインドウ３３の具体例説明図である。
このイラストウインドウ３３には、オーダー情報が、ジャケットやパンツのイメージを、実際の使用状態に合わせた位置関係に配列して表示する。イラストウインドウ３３中に、上から順に、ジャケット表示領域５６、ベスト表示領域５７、パンツ表示領域５８が設定されている。ジャケット表示領域５６にはジャケットデータ５１とその部品データを表示する。ベスト表示領域５７にはベストデータ５２とその部品データを表示する。パンツ表示領域５８にはパンツデータ５３とその部品データを表示する。このイメージの描画処理は、イラスト編集手段２４が実行する。
【００２４】
例えばジャケット表示領域５６の中央にジャケットデータ５１を表示する。そして、ジャケットの襟やポケットのような各部品のイメージがその周辺に配置される。各部品は、パーツ表示吹き出し領域５９中に表示される。ジャケットデータ５１が選択されると、ジャケットデータ５１の部品表示用のパーツ表示吹き出し領域５９もジャケットデータ５１と一体化に合成されたイメージデータとしてジャケット表示領域５６中に表示される。その後、パーツ表示吹き出し領域５９に表示されるべき各部品が選択されると、後で説明する参照テーブルデータ３２により、各部品の表示領域が指定される。即ち、ジャケットの襟やポケットは、それぞれ該当するパーツ表示吹き出し領域５９に中に表示するように表示位置が指定されている。これにより、図４に示すように、ジャケットデータ５１に近接した位置に、ジャケットの部品のイメージが集中して表示される。ベストデータ５２、パンツデータ５３についても同様である。多様なオーダーの内容をイメージで確認をすることができる。部品毎に表示領域が指定されており、見やすいレイアウトでそのイメージが表示できる。
【００２５】
なお、図４の例ではパーツ表示吹き出し領域５９とジャケットデータ５１の該当箇所とを引き出し線で結んだ。最初からジャケットデータ５１の表示位置といくつかのパーツ表示吹き出し領域５９の表示位置とが完全に固定されている場合には、こうした表示ができる。一方、部品イメージ表示用の枠を、引き出し線無しで、ジャケットデータ５１の周辺に必要数だけ配置するようにしても構わない。そのときには、ジャケットデータ５１を描画してから、決められた位置に必要数だけ、パーツ表示吹き出し領域５９を描画するとよい。また、パーツ表示吹き出し領域５９は、部品のイメージデータを描画するときに同時に描画されても構わない。各パーツ表示吹き出し領域５９のすぐ上や下にバーコード５５も表示するとよい、予めパーツ表示吹き出し領域５９を部品ごとに準備しておけば選択忘れを防止できる。
【００２６】
いずれにしても、関連する部品の表示イメージデータが所定の位置関係で配置されるように、表示領域が設定されていればよい。表示領域の設定方法としては、部品の表示イメージデータの表示位置を座標値で示す方法がある。また、パーツ表示吹き出し領域５９の表示領域はジャケット表示領域５６中の相対位置座標で表し、パーツ画像７３の表示領域はパーツ表示吹き出し領域５９中の相対位置座標で表すという方法がある。全ての部品の表示イメージデータのパーツ表示吹き出し領域５９中の相対位置座標が一律なら、上から何番目のパーツ表示吹き出し領域５９にそのイメージデータを表示するかという情報だけでも構わない。いずれの場合でも、関連する部品を近接配置することで、部品相互のデザインや色のバランスを確認できる。このイラストウインドウ３３の内容を印刷して、オーダーシート３４とともに顧客に手渡せば、実際に仕立て上がった製品との比較確認も容易にできる。
【００２７】
図５は上記のような処理を実行するためのコンピュータの具体的な動作説明図である。
図の（ａ）はコンピュータ画面を使用して部品を選択する処理の動作説明図である。まず、採寸データ８１を入力する。次にデザインデータ８２を入力画面を用いて選択する。この時は選択結果が製品コード８４としてコンピュータに取得される。オーダー情報処理手段２３は、コンピュータの記憶装置３０に記憶された参照テーブルデータ３２を参照して、製品コード８４から名称データ８７と見積もり金額８８を出力する。名称データ８７はオーダーシート８９に記入される。見積もり金額８８は見積もり計算手段２５による見積計算に利用され見積もりデータ９０が出力される。
【００２８】
一方、参照テーブルデータ３２からは同時に表示イメージデータ８６が出力される。これは選択された部品の外観を目で確認するためのイメージである。上記のイラストウインドウ３３のパーツ表示吹き出し領域５９に表示されるものである。また、この表示イメージデータ８６は例えば部品を選択するたびにポップアップウィンドウに表示されるとよい。これによって選択した部品の形や色をディスプレイ１１上で確認することができる。部品選択データ８３の選択時も同様である。部品コード８５に基づいて参照テーブルデータ３２から表示イメージデータ８６、名称データ８７、見積もり金額８８が出力される。
【００２９】
サンプルブックを使用した場合にも同様の処理が行われる。サンプルブックの場合にはバーコードデータ７５がスキャナ１３により読み取られる。これが参照テーブルデータ３２に入力され、表示イメージデータ８６、名称データ８７、見積もり金額８８が出力される。また、表示イメージデータ８６をコンピュータのディスプレイにポップアップウィンドウを用いて表示する。これにより実際に選んだ部品とコンピュータの画面に表示される部品とを見比べて、色などの微妙な違いもその場で確認しておく。これにより、最終的にイラストウインドウ３３に表示された部品が自分の選んだ部品と違うというように勘違いするのを防止できる。
【００３０】
（ｃ）はオーダーシート３４の説明図である。オーダーシート３４にはオーダー番号などの顧客情報や見積もりデータ９０が表示される。このオーダーシート３４はイラストウインドウ３３と共に印刷されて顧客に手渡される。なお、襟やポケット等の大きな部品については、イラストウインドウ３３を用いて表示して確認をすることができる。しかしながらボタンのような小さい部品についてまでイラストウインドウを使用すると明確に確認をするのが難しい。この場合には、部品毎にポップアップウィンドウで拡大表示することが好ましい。オーダー情報処理手段２３は上記のような処理を実行する。
【００３１】
図６は、部品の拡大表示動作の説明図である。
まず、この処理のために、図６（ａ）に示すように、参照テーブルデータ３２に、例えば、識別コード１０１、名称データ１０２、表示イメージデータ８６、表示領域１０４、関連製品１０５といったデータを記憶させておく。識別コード１０１は部品を特定する、コードデータである。名称データ１０２は部品の名称を文字で表示するための、例えば文字コードデータである。表示イメージデータ８６は部品の外観をイメージで表示するビットマップデータである。表示領域１０４は表示イメージデータ８６を表示する場所を特定する例えば座標データである。関連製品１０５は、近接して表示されるべき部品のコードデータである。以下の処理は、オーダー情報処理手段２３が実行し、ディスプレイへの表示はウインドウ表示制御手段２２が実行する。
【００３２】
例えば、ボタンを選択した場合には、その背景になるジャケット等の生地の色も問題になる。そこで、次のような処理を実行する。図６（ｂ）ではボタンのバーコードを入力すると、参照テーブルデータ３２からオーダーシート８９に対しボタンの識別コードが通知される。参照テーブルデータ３２からはその応答として、ジャケットの部品コードが返される。参照テーブルデータ３２からはジャケットの表示イメージデータが取得されるが、その一部が切り取られて、表示背景データ９３として出力される。すなわち、ジャケットのメージデータの地色成分のみが取得されて背景色として描画される。これにボタンの表示イメージデータ８６が重ね書きされる。こうして背景を含むボタンのイメージが表示できる。この画像が、図２の（ｃ）で説明したようなポップアップウインドウＡに表示される。これにより、選択結果をコンピュータの画面上で確認できる。
【００３３】
オーダー作業が全て終了すると、オーダーシート３４が作成される。係員と顧客は、最後にこのオーダーシート３４の内容を確認する。オーダーシート３４には、選択されて部品のリストが表示されている。そのいずれかの部品名をクリックすると、オーダーシート３４からボタンの識別コードが参照テーブルデータ３２に向けて出力される。参照テーブルデータ３２からは、ボタンの表示イメージデータ８６と、関連製品であるジャケットの表示背景データ９３とが出力される。これにより、ボタンを実物で選択したときと同じ画像が図２の（ｃ）で説明したようなポップアップウインドウＡに表示される。２回目の確認なので、パソコンに実物を表示したときの微妙な色の違い等を顧客は認識しているから、確認はスムーズに進められる。以上のように、関連する部品を同時にディスプレイに表示して、バランスや色合いを確認するために効果的に利用できる。
【実施例２】
【００３４】
図７は、コンピュータ１０によりオーダー情報を入力する動作を示すフローチャートである。
まず、オーダー情報入開始時に、ステップＳ１１では、データ入力手段２１がディスプレイ１１に顧客情報入力画面４０を表示する。ステップＳ１２では、この顧客情報入力画面４０を使用して、顧客情報の入力受付けをする。次に、ステップＳ１３では、採寸データ入力画面４２を表示する。ステップＳ１４では、採寸データの入力受付けをする。ステップＳ１５では、デザイン選択画面４６の表示をする。この画面では、例えば、胸ポケットのドロップダウンリストを開くと、何種類かの胸ポケットのイメージを表示して、選択を促す。こうして、ステップＳ１６では、デザイン選択結果の取得をする。また、ステップＳ１７では、部品選択画面の表示をする。部品名のリストをドロップダウンリストで表示して、いずれかの部品を選択させる。ステップＳ１８では、部品選択結果を取得する。次に、例えば、ボタンという文字をクリックすると、ステップＳ１９でサンプルブックが指定され、スキャナ１３が読み取り可能な状態になる。ステップＳ２０で、サンプルブックのいずれかのボタンのバーコードを読み取る。これで、そのボタンが選択された結果がコンピュータに自動的に入力される。ステップＳ２１では、全データの取得が終了したかどうかという判断をする。この判断の結果がイエスのときは処理を終了し、ノーのときは最初の処理に戻る。
【００３５】
図８はオーダーシートの生成動作フローチャートである。
上記のようなオーダー情報の入力が完了すると、自動的にこの処理が実行される。ステップＳ３１では、デザイン選択結果ウインドウの編集をする。ステップＳ３２では、部品選択結果ウインドウの編集をする。入力された情報を単に記録する処理である。ステップＳ３３では、イラストウインドウの編集をする。このステップＳ３３の処理については、図９を用いて具体的に説明する。ステップＳ３４では、オーダーシートの編集をする。図５を用いて説明した処理である。ステップＳ３５では、取得データに基づく見積もり計算をする。これが、図５を用いて説明したオーダーシート３４に記入される。ステップＳ３６では、オーダーシート３４の表示出力をする。ディスプレイ１１に表示するとともに、プリンタ１４によりその内容を印刷して出力する。
【００３６】
図９は、イラストウインドウの編集動作フローチャートである。始めに、ステップＳ４１で、選択済みのジャケットデータの取得をする。ステップＳ４２では、選択済みのベストデータの取得をする。ステップＳ４３では、選択済みのパンツデータの取得をする。次に、ステップＳ４４では、ジャケット表示領域の設定をする。表示位置座標等の座標値を取得する処理である。ステップＳ４５では、ベスト表示領域の設定をする。ステップＳ４６では、パンツ表示領域の設定をする。以上の準備がすむと、ステップＳ４７では、ジャケットデータの描画をする。ステップＳ４８では、ジャケット用部品の吹き出しデータの描画をする。ステップＳ４９では、ベストデータの描画をする。ステップＳ５０では、ベスト用部品の吹き出しデータの描画をする。ステップＳ５１では、パンツデータの描画をする。ステップＳ５２では、パンツ用部品の吹き出しデータの描画をする。その後は、部品が選択される度に該当する部品の吹き出し領域に部品のイメージデータの描画を繰り返す。以上のようにして、上記のシステムを利用する。
【００３７】
なお、上記の演算処理装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【図面の簡単な説明】
【００３８】
【図１】本発明の衣料品フルオーダシステム１０を示すブロック図である。
【図２】図１で説明したコンピュータ１０のディスプレイ１１に表示されるデータ入力画面３１の説明図である。
【図３】サンプルブックの具体例斜視図である。
【図４】イラストウインドウ３３の具体例説明図である。
【図５】上記のような処理を実行するためのコンピュータの具体的な動作説明図である。
【図６】部品の拡大表示動作の説明図である。
【図７】コンピュータ１０によりオーダー情報を入力する動作を示すフローチャートである。
【図８】オーダーシートの生成動作フローチャートである。
【図９】イラストウインドウの編集動作フローチャートである。
【符号の説明】
【００３９】
１０  衣料品フルオーダシステム
１１  ディスプレイ
１２  マウス
１３  スキャナ
１４  プリンタ
２０  演算処理装置
２１  データ入力手段
２２  ウインドウ表示制御手段
２３  オーダー情報処理手段
２４  イラスト編集手段
２５  見積もり計算手段
３０  記憶装置
３１  データ入力画面
３２  参照テーブルデータ
３３  イラストウインドウ
３４  オーダーシート
３５  見積もり計算結果
４０  顧客情報入力画面
４２  採寸データ入力画面
４４  ジャケットデータ入力画面
４５  部品選択画面
４６  デザイン選択画面
５１  ジャケットデータ
５２  ベストデータ
５３  パンツデータ
５４  パーツデータ
５５  バーコード
５６  ジャケット表示領域
５７  ベスト表示領域
５８  パンツ表示領域
５９  パーツ表示吹き出し領域
６１  サンプルブック
６２  サンプル仕様
６３  バーコード
６５  サンプルブック
６６  釦サンプル
６７  バーコード
７０  サンプルブック
７１  サンプル画像
７２  バーコード
７３  パーツ画像
８１  採寸データ
８２  デザインデータ
８３  部品選択データ
８４  製品コード
８５  部品コード
８６  表示イメージデータ
８７  名称データ
８８  見積もり金額
９０  見積もりデータ
９３  表示背景データ
９５  オーダー情報
１０１  識別コード
１０２  名称データ
１０４  表示領域
１０５  関連製品
【図１】
2010039653.tif 000003
【図２】
2010039653.tif 000004
【図３】
2010039653.tif 000005
【図４】
2010039653.tif 000006
【図５】
2010039653.tif 000007
【図６】
2010039653.tif 000008
【図７】
2010039653.tif 000009
【図８】
2010039653.tif 000010
【図９】
2010039653.tif 000011